(57)【特許請求の範囲】
【請求項１】
記録再生装置の外装ケースの蓋体の開閉動作に連動して回動され、カートリッジが挿入保持されるカートリッジホルダーをシャーシに回動自在に保持する回動保持装置であって、
前記カートリッジホルダーには、
カートリッジを収納保持するカートリッジ保持部と、
両サイドに形成され回動中心となる回動保持片と、
このカートリッジホルダーの回動を規制する第１の回動規制部と
を一体的に形成し、
前記シャーシには、前記カートリッジホルダーの回動保持片と対向する位置に設けられた回動保持部と、
前記カートリッジホルダーの第１の回動規制部と対向する位置に設けられた第２の回動規制部とを一体に形成し、
前記回動保持片と回動保持部の何れか一方に折り曲げ形成した軸片を形成し、他方には前記の軸片を挿入する軸孔を形成し、
前記の軸孔は、
前記の軸片の幅寸法を許容し回動自在となす内径の対向する円弧部と、前記対向する円弧部の間の内径が前記軸片の幅寸法より小さくなるよう形成された凸部とを有し、
前記カートリッジホルダーは、前記の軸片を軸孔に挿入してカートリッジホルダーをシャーシに対して回動自在に保持することにより、軸片が軸孔の円弧部で許容され凸部により規制される範囲内で回動可能に構成し、かつカートリッジホルダーは実質的には第２の回動規制部に対する第１の回動規制部の回動規制の範囲内で回動可能に構成した
カートリッジホルダー回転保持装置。
【請求項２】
カートリッジホルダーは、回動保持片の相互間の間隔が小さくなる方向に弾性変形が可能に形成され、
第１，第２の回動規制部のどちらか一方は規制突片とし、他方は規制突片が挿入される規制孔とし、
カートリッジホルダーをシャーシに保持した状態では、カートリッジホルダーは規制突片の規制孔で規制される移動範囲において回動可能に構成されたことを特徴とする
請求項１記載のカートリッジホルダー回転保持装置。
【請求項３】
シャーシの奥端の左右に回動保持部としてそれぞれ軸片を設け、カートリッジホルダーの奥端の左右に形成された回動保持片にはそれぞれ前記の軸片を挿入する軸孔を設け、一対の軸孔のうちの一方の軸孔には、カートリッジホルダーの通常の回動範囲の外に、前記の軸片の端部に軸幅の一方に突出して形成された抜け止め突部の通過を許す切り欠きを形成した
請求項２記載のカートリッジホルダー回転保持装置。
【請求項４】
カートリッジホルダーは、回動保持片の相互間の間隔が小さくなる方向に弾性変形が可能に形成され、第１，第２の回動規制部のどちらか一方は規制突片とし、他方は規制突片が挿入される規制孔とし、カートリッジホルダーの回動保持片を内側に弾性変形させて軸片を軸孔に挿入し、同じくカートリッジホルダーを弾性変形させた状態で前記軸片及び軸孔を回動中心として回動することにより規制突片を規制孔に挿入し、カートリッジホルダーの前記弾性変形を復元させることによりカートリッジホルダーをシャーシに回動可能に取り付けた
請求項１記載のカートリッジホルダー回転保持装置。
【発明の詳細な説明】
【０００１】
【発明の属する技術分野】
本発明は携帯用ディスク装置などに使用されるカートリッジホルダーの回転保持の構造に関するものである。
【０００２】
【従来の技術】
光ディスク媒体を光ピックアップで読み取って再生する携帯用ディスク装置としては、カートリッジに６４ｍｍの光ディスク媒体を内蔵したミニディスク（大きさは７２ｍｍ×６８ｍｍ×５ｍｍ）に記録された音楽を手軽にアウトドアに持ち出して聴けるように、軽量小型化された携帯用ＭＤプレーヤーが一般に普及している。
【０００３】
携帯用ＭＤプレーヤーでは、外装ケースの上蓋を開くとカートリッジホルダーのカートリッジ挿入口が現れ、カートリッジホルダーにカートリッジを挿入すると、この挿入の操作に連動してカートリッジのシャッタが開放される。
【０００４】
このようにカートリッジをカートリッジホルダーにセットして前記の上蓋を閉じると、カートリッジに収容されている光ディスクが、ドライブ装置に結合され、シャッタが開放されたカートリッジの開口から光ヘッドが光ディスクにアクセスできる状態になる。
【０００５】
カートリッジの交換の際には、上蓋を開くことによって、それまでカートリッジホルダーにセットされていたカートリッジがイジェクト可能な状態に飛び出すようにカートリッジイジェクト装置が設けられている。
【０００６】
シャーシにカートリッジホルダーを回動自在に取り付ける従来の構成は、図１２に示すように、カートリッジホルダー２に穿設した孔９０に、シャーシ６に設けた支軸９１を差し込んで、カートリッジホルダー２の内側に突出した支軸９１の先端に抜け止めワッシャー９２を取り付けて構成されている。
【０００７】
【発明が解決しようとする課題】
しかしながら、図１２に示す従来の構成では、抜け止めワッシャー９２が必要で部品点数の増加になるだけでなく、この抜け止めワッシャー９２をカートリッジホルダー２の内側という狭い空間で迅速に取り付ける組み立て作業には熟練を要する。
【０００８】
本発明は、部品点数の削減と組み立て工数の低減を達成できる構造のカートリッジホルダー回転保持装置を提供することを目的とする。
【０００９】
【課題を解決するための手段】
本発明のカートリッジホルダー回転保持装置は、カートリッジ保持部を有するカートリッジホルダーには両サイドに回動保持片を設け、シャーシには、カートリッジホルダーの回動保持片と対向する位置に回動保持部を設け、前記回動保持片と回動保持部の何れか一方に折り曲げ形成した軸片を形成し、他方には前記の軸片を挿入する軸孔を形成し、前記の軸孔と軸片の形状と寸法を適切にして、別部品を使用しなくてもシャーシからカートリッジホルダーが抜け落ちることがないように構成したことを特徴とする。
【００１０】
この本発明によると、部品点数の削減と組み立て工数の低減を達成できる。
【００１１】
【発明の実施の形態】
請求項１記載のカートリッジホルダー回転保持装置は、記録再生装置の外装ケースの蓋体の開閉動作に連動して回動され、カートリッジが挿入保持されるカートリッジホルダーをシャーシに回動自在に保持する回動保持装置であって、前記カートリッジホルダーには、カートリッジを収納保持するカートリッジ保持部と、両サイドに形成され回動中心となる回動保持片と、このカートリッジホルダーの回動を規制する第１の回動規制部とを一体的に形成し、前記シャーシには、前記カートリッジホルダーの回動保持片と対向する位置に設けられた回動保持部と、前記カートリッジホルダーの第１の回動規制部と対向する位置に設けられた第２の回動規制部とを一体に形成し、前記回動保持片と回動保持部の何れか一方に折り曲げ形成した軸片を形成し、他方には前記の軸片を挿入する軸孔を形成し、前記の軸孔は、前記の軸片の幅寸法を許容し回動自在となす内径の対向する円弧部と、前記対向する円弧部の間の内径が前記軸片の幅寸法より小さくなるよう形成された凸部とを有し、前記カートリッジホルダーは、前記の軸片を軸孔に挿入してカートリッジホルダーをシャーシに対して回動自在に保持することにより、軸片が軸孔の円弧部で許容され凸部により規制される範囲内で回動可能に構成し、かつカートリッジホルダーは実質的には第２の回動規制部に対する第１の回動規制部の回動規制の範囲内で回動可能に構成したことを特徴とする。
【００１２】
請求項２記載のカートリッジホルダー回転保持装置は、請求項１において、カートリッジホルダーは、回動保持片の相互間の間隔が小さくなる方向に弾性変形が可能に形成され、第１，第２の回動規制部のどちらか一方は規制突片とし、他方は規制突片が挿入される規制孔とし、カートリッジホルダーをシャーシに保持した状態では、カートリッジホルダーは規制突片の規制孔で規制される移動範囲において回動可能に構成されたことを特徴とする。
【００１３】
請求項３記載のカートリッジホルダー回転保持装置は、請求項２において、シャーシの奥端の左右に回動保持部としてそれぞれ軸片を設け、カートリッジホルダーの奥端の左右に形成された回動保持片にはそれぞれ前記の軸片を挿入する軸孔を設け、一対の軸孔のうちの一方の軸孔には、カートリッジホルダーの通常の回動範囲の外に、前記の軸片の端部に軸幅の一方に突出して形成された抜け止め突部の通過を許す切り欠きを形成したことを特徴とする。
【００１４】
請求項４記載のカートリッジホルダー回転保持装置は、請求項１において、カートリッジホルダーは、回動保持片の相互間の間隔が小さくなる方向に弾性変形が可能に形成され、第１，第２の回動規制部のどちらか一方は規制突片とし、他方は規制突片が挿入される規制孔とし、カートリッジホルダーの回動保持片を内側に弾性変形させて軸片を軸孔に挿入し、同じくカートリッジホルダーを弾性変形させた状態で前記軸片及び軸孔を回動中心として回動することにより規制突片を規制孔に挿入し、カートリッジホルダーの前記弾性変形を復元させることによりカートリッジホルダーをシャーシに回動可能に取り付けたことを特徴とする。
【００１５】
以下、本発明の実施の形態を図１〜図１１に基づいて説明する。
（実施の形態１）
図１は本発明のカートリッジホルダー回転保持装置を備えた携帯用ディスク装置を示す。
【００１６】
携帯用ＭＤプレーヤーの外装ケースの上蓋１を開くとカートリッジホルダー２のカートリッジ挿入口３が現れ、カートリッジホルダー２にカートリッジ４を挿入すると、この挿入の操作に連動してカートリッジ４のシャッタ５が開放される。６はシャーシである。
【００１７】
カートリッジホルダー２には、カートリッジ挿入口３から挿入されたカートリッジ４を支持するカートリッジ支持辺２ａ，２ｂが図２に示すように形成されてカートリッジを収納するカートリッジ保持部２ｃを構成している。また、カートリッジホルダー２の後端の両側にはカートリッジホルダー２の回転中心となる回動保持片７ａ，７ｂが形成されている。シャーシ６の後端には、カートリッジホルダー２の回動保持片７ａ，７ｂに対向する回動保持部としての軸片８ａ，８ｂが形成されている。カートリッジホルダー２の回動保持片７ａ，７ｂには特殊な形状の軸孔９ａ，９ｂが形成されている。
【００１８】
軸片８ａ，８ｂは、シャーシ６に折り曲げ加工で一体に形成されており、組み上がり状態では、軸片８ａ，８ｂを軸孔９ａ，９ｂに挿入してシャーシ６に対してカートリッジホルダー２が回動自在に支持されている。
【００１９】
カートリッジホルダー２には、その他にも支持板部１０と係止部材１１とシャッター開放部材１２ａとシャッター閉塞部材１２ｂと一対の切り起こし片１３ａ，１３ｂなどが一体に板金加工で形成されている。シャーシ６にはロック解除部材１４ａ（図１を参照）の取付部１４ｂが一体に板金加工で形成されている。
【００２０】
カートリッジホルダー２に組み付けられるイジェクトスライダ１５は、カートリッジ保持部２ｃに挿入されたカートリッジ４の先端に当接する係合片１６と、カートリッジホルダー２の前記の支持板部１０に沿うベース部１７と、ロック手段１８とが板金加工で一体に形成されている。
【００２１】
イジェクトスライダ１５は、カートリッジホルダー２の切り起こし片１３ａ，１３ｂをイジェクトスライダ１５のガイド長孔２２ａ，２２ｂに係合させてスライド自在に組み付けられ、イジェクトスライダ１５に一体に形成されているバネ係止片２４とカートリッジホルダー２に一体に形成されているバネ係止片２５の間に引っ張りコイルバネ２６が介装されている。
【００２２】
上蓋１を開いてカートリッジ挿入口３からカートリッジ４をイジェクトスライダ１５の係合片１６に当接するまで挿入し、引っ張りコイルバネ２６の付勢に抗してカートリッジ４をさらに押し込むと、カートリッジ４の溝４ａにシャッター開放部材１２ａが係合して、またシャッタ５の孔５ａにシャッター閉塞部材１２ｂが係合した状態でシャッタ５が溝４ｂに沿って解放され、カートリッジホルダー２に対してイジェクトスライダ１５はガイド長孔２２ａ，２２ｂに沿って摺動し、カートリッジ４が記録再生位置まで挿入された時点は、ロック手段１８の作用でイジェクトスライダ１５がカートリッジホルダー２に係合して、カートリッジ４の押し込む操作力を解除しても前記の引っ張りコイルバネ２６の付勢にかかわらずカートリッジ４はカートリッジ保持部２ｃにある。
【００２３】
上蓋１を閉じる方向に回動させると、カートリッジホルダー２も上蓋１と同方向に回動し、カートリッジ４に収容された光ディスクの記録再生が実施される。カートリッジ４の交換の際には、上蓋１を開くことによって、カートリッジホルダー２が上蓋１と同方向に回動し、この回動の際には、前記ロック手段１８のカートリッジホルダー２との係合が解除されて、イジェクトスライダ１５が引っ張りコイルバネ２６の付勢力で摺動する。この際に、イジェクトスライダ１５の係合片１６によってカートリッジ４がカートリッジホルダー２から押し出されてイジェクトが実行される。
【００２４】
以下に、シャーシ６に形成された前記の軸片８ａ，８ｂと、カートリッジホルダー２に形成された軸孔９ａ，９ｂとの形状と、シャーシ６へのカートリッジホルダー２への具体的な組み付けの手順を説明する。
【００２５】
図４（ａ）は図３においてカートリッジホルダー２を閉じた状態を背面から見たＡ−Ａ矢視図を示しており、図４（ｂ）（ｃ）は軸片８ａ，８ｂの拡大図である。軸片８ａは、軸幅Ｈ４の先端に上方に突出した抜け止め突起３０ａが形成されており、突起幅Ｈ３は  Ｈ４  ＜  Ｈ３  で軸幅Ｈ４より大きい。軸片８ｂは、軸幅Ｈ４の先端に上方に突出した抜け止め突起３０ｂが形成されており、突起幅Ｈ５は  Ｈ４  ＜  Ｈ５  で軸幅Ｈ４より大きい。
【００２６】
また、軸片８ａの抜け止め突起３０ａと反対側には、切り欠き傾斜部３６ａを形成し、この切り欠き傾斜部３６ａと抜け止め突起３０ａとによって形成される斜め方向の幅寸法Ｈ６を挿通寸法としており、この挿通寸法Ｈ６は  Ｈ６  ＜  Ｈ４  としている。
【００２７】
図５（ａ）（ｂ）は図４（ａ）におけるＢ−Ｂ矢視図とＣ−Ｃ矢視図を示し、図５（ｃ）（ｄ）は図５（ａ）（ｂ）における軸孔９ａ，９ｂの拡大図を示している。
【００２８】
図５（ｃ）に示す軸孔９ａは、円弧部の内径Ｈ１が軸幅Ｈ４より僅かに大きく、突起幅Ｈ３よりも小さい。また、円弧部の内側には凸部３１が形成されている。
【００２９】
図５（ｄ）に示す軸孔９ｂは、軸孔９ａと同じく円弧部の内径Ｈ１が軸幅Ｈ４より僅かに大きく、突起幅Ｈ５よりも小さく、円弧部の内側には凸部３１が形成されている。さらに、軸孔９ｂには、軸片８ｂの抜け止め突起３０ｂが通過できる通過寸法Ｈ２を形成するのに必要な切り欠き部３２が後述の所定角度に形成されている。通過寸法Ｈ２は  Ｈ２  ＞  Ｈ５  である。
【００３０】
また、軸片８ｂの抜け止め突起３０ｂと切り欠き傾斜部３６ｂとによって斜め方向に形成されている。
さらに、図５（ｂ）と図２に示すようにカートリッジホルダー２とシャーシ６には、シャーシ６に対するカートリッジホルダー２の回動を規制する手段が設けられている。具体的には、カートリッジホルダー２の左側面の後方には、第１の回動規制部として切り起こし加工で外側に突出した規制突片３３が形成されており、シャーシ６の左後方に折り曲げ加工された側板３４には第２の回動規制部として規制孔３５が穿設されており、図５（ｂ）に示すように組み立てた状態では規制孔３５の内側に規制突片３３が位置している。
【００３１】
したがって、組み立てた状態ではカートリッジホルダー２は規制突片３３が規制孔３５の端部に当接しない角度範囲で回動自在であって、前記の切り欠き部３２が形成されている所定角度は前記の角度範囲の外側であって、カートリッジホルダー２が通常の回動の範囲内では、軸孔９ｂの切り欠き部３２が軸片８ｂの通過を許す位置には到達しないように構成されている。
【００３２】
カートリッジホルダー２をシャーシ６に取り付けるには、最初に、図６（ａ）に示すように、軸孔９ａに軸片８ａを挿入する。
このときには、図６（ｂ）に示す拡大図のように軸孔９ａの円弧部の内径Ｈ１の部分が、軸片８ａの抜け止め突起３０ａと切り欠き傾斜部３６ａとによって斜め方向に形成される図４に示す挿通寸法Ｈ６の方向にほぼ一致するようにカートリッジホルダー２を作業者が手に持って、軸片８ａの抜け止め突起３０ａを最初に軸孔９ａに潜らせて、軸片８ａを図６（ｃ）に示すように軸孔９ａに挿通する。
【００３３】
その際、挿通寸法Ｈ６は軸幅Ｈ４より小さく形成しているので、軸孔９ａの内径Ｈ１部分がよりスムーズに挿通される。
次に軸片８ｂを軸孔９ｂに挿通する場合には、図７（ａ）に示すように図６（ａ）の場合よりもカートリッジホルダー２をシャーシ６に対して大きく開く。
【００３４】
なお、この回動の際には、軸孔９ａと軸片８ａとの挿通部分では、図６（ｃ）に示す状態から図８（ｂ）に示す状態に変化するが、この回動中には軸片８ａの抜け止め突起３０ａが軸孔９ａの周囲に係合しているため、軸片８ａが軸孔９ａから脱落しない。
【００３５】
図７（ａ）に示すようにカートリッジホルダー２を大きく開くことによって、軸孔９ｂの切り欠き部３２が図８（ｃ）に示すように軸片８ｂの軸幅方向にほぼ一致する。
【００３６】
この状態で、カートリッジホルダー２を図７（ｂ）に示すように作業者が指で摘んで矢印Ｅ方向の力を作用させて回動保持片７ａ，７ｂの相互間の間隔が小さくなる方向（矢印Ｆ方向）に弾性変形させて、軸孔９ｂの切り欠き部３２を軸片８ｂの軸幅方向に一致させて前記の弾性変形させていた操作力を解除すると、図８（ａ）に示すように軸孔９ｂに軸片８ｂが挿通される。
【００３７】
この際に、軸片８ｂには切り欠き傾斜部３６ｂが形成されているため、軸孔９ｂがよりスムーズに挿通される。
このようにカートリッジホルダー２の両サイドに形成された軸孔９ａ，９ｂに軸片８ａ，８ｂを係合させて回動自在に支持しただけの状態では、カートリッジホルダー２の回動は、軸孔９ａ，９ｂの内側に設けた凸部３１の基端が軸片８ａ，８ｂに当接して回動規制の役目を果たしており、回動規制が無い場合に比べて以下の組み立て作業の効率化に有効である。
【００３８】
次に、シャーシ６に対してカートリッジホルダー２を図９（ａ）と図１０（ａ）に示すように開き角度が小さくなる方向に、カートリッジホルダー２の規制突片３３がシャーシ６の側板３４に当接するまで回動させる。このときの回動角度は、上記のように軸孔９ａ，９ｂの内側に設けた凸部３１の基端と軸片８ａ，８ｂとの当接によって回動規制されているため、作業者が僅かの角度だけカートリッジホルダー２とシャーシ６を相対移動させるだけで済む。
【００３９】
この状態では、軸孔９ａ，９ｂには軸片８ａ，８ｂの抜け止め突起３０ａ，３０ｂが図１０（ｂ）（ｃ）に示すように係合してカートリッジホルダー２が脱落しにくい状態になっており、この状態で作業者が指でカートリッジホルダー２を摘んで、図９（ｂ）に示すようにカートリッジホルダー２を弾性変形させるとともに、シャーシ６に対してカートリッジホルダー２の開き角度が小さくなる方向にさらに回動させ、前記の弾性変形させていた操作力を解除してカートリッジホルダー２の弾性変形を復元させると、図９（ｃ）と図１１（ａ）に示すようにシャーシ６の規制孔３５にカートリッジホルダー２の規制突起３３が係合して組み立てが完了する。
【００４０】
なお、この組み立て完了の状態においても軸孔９ａ，９ｂと軸片８ａ，８ｂの抜け止め突起３０ａ，３０ｂとは図１１（ｂ）（ｃ）に示すように係合しているとともに、カートリッジホルダー２の開閉の際に、軸孔９ｂの切り欠き部３２が軸片８ｂの軸幅方向に一致する図８（ｃ）に示した状態まで回動しないように、組み立てが完了した通常の使用状態ではカートリッジホルダー２の規制突片３３とシャーシ６の規制孔３５とが係合してカートリッジホルダー２の回動範囲が規制されているため、上蓋１の開閉に伴って規制孔３５の範囲内でカートリッジホルダー２が回動しても、カートリッジホルダー２がシャーシ６から脱落するようなことがない。
【００４１】
さらに、シャーシ６の一部を折り曲げ加工して形成された板状の軸片８ａ，８ｂと、薄板を折り曲げ加工して形成されたカートリッジホルダー２の回動保持片９ａ，９ｂとの回転保持構造は、板体の端面と板体の端面とが当接して回動するだけではなく、この実施の形態では軸孔９ａ，９ｂの内側に形成された凸部３１の先端が軸片８ａ，８ｂに当接して回動するので、長期間にわたってカートリッジホルダー２のスムーズな回動を期待できる。
【００４２】
このように、カートリッジホルダー２に一体に形成されている部分とシャーシ６に形成されている部分とを、軽量化のために薄板で形成されているカートリッジホルダー２の弾性を積極的に利用して係合させて、部品点数の削減と組み立て時の作業性を改善し、さらに、カートリッジホルダー２に一体に形成されている規制突片３３とシャーシ６に一体に形成されている規制孔３５との係合によって、カートリッジホルダー２に一体に形成されている部分とシャーシ６に形成されている部分との前記の係合が外れないように規制することができ、組み立て完了後には安定した回動動作を期待できる。
【００４３】
上記の実施の形態では、カートリッジホルダー２の回動保持片７ａ，７ｂに軸孔９ａ，９ｂを形成し、シャーシ６に回動保持部として軸片８ａ，８ｂを形成したが、カートリッジホルダー２の側に軸片を形成し、シャーシ６の側に軸孔を形成して同様に構成することもできる。
【００４４】
上記の各実施の形態では、カートリッジホルダー２の第１の回動規制部として規制突片３３を設け、シャーシ６の側板３４に第２の回動規制部として規制孔３５を形成したが、カートリッジホルダー２の第１の回動規制部として規制孔を設け、シャーシ６の側板３４に第２の回動規制部として規制突片を形成して同様に構成することもできる。
【００４５】
【発明の効果】
以上のように本発明のカートリッジホルダー回転保持装置によると、カートリッジホルダーに一体に形成されている回動保持片とシャーシに一体に形成されている回動保持部とを係合させるために、前記回動保持片と回動保持部の何れか一方に折り曲げ形成した軸片を形成し、他方には前記の軸片を挿入する軸孔を形成し、前記軸孔は、前記の軸片の幅寸法を許容し回動自在となす内径の対向する円弧部と、その円弧部の間において実質的に前記の軸片の幅寸法より小さい内径となる凸部を有し、軸片が軸孔の円弧部で許容され凸部により規制される範囲内で回動可能に構成したため、部品点数の削減と組み立て時の作業性を改善することができる。
【００４６】
さらに、カートリッジホルダーは実質的にはシャーシに一体に形成された第２の回動規制部に対するカートリッジホルダーに形成された第１の回動規制部の回動規制の範囲内で回動可能に構成したため、カートリッジホルダーとシャーシとの係合によって回動自在であるにもかかわらず、前記の係合が外れないように規制することができ、組み立て完了後には安定した回動動作を期待できるものである。
【００４７】
また、カートリッジホルダーは、回動保持片の相互間の間隔が小さくなる方向に弾性変形が可能に形成され、第１，第２の回動規制部のどちらか一方は規制突片とし、他方は規制突片が挿入される規制孔とし、カートリッジホルダーの回動保持片を内側に弾性変形させて軸片を軸孔に挿入し、同じくカートリッジホルダーを弾性変形させた状態で前記軸片及び軸孔を回動中心として回動することにより規制突片を規制孔に挿入し、カートリッジホルダーの前記弾性変形を復元させることによりカートリッジホルダーをシャーシに回動可能に取り付けたので、組み立て作業性が非常に良好であり、組み立て作業に熟練を要しない良好なものである。
【図面の簡単な説明】
【図１】本発明のカートリッジホルダー回転保持装置を備えた携帯用ディスク装置の外観斜視図
【図２】同実施の形態のカートリッジホルダーとシャーシの分解斜視図
【図３】同実施の形態の組み立て完了状態の外観斜視図
【図４】図３のＡ−Ａ矢視図とシャーシに形成された回動保持部の拡大図
【図５】同実施の形態の上蓋を閉じた状態の左右の側面の要部とその拡大図
【図６】同実施の形態の組み立ての第１段階を示す斜視図と要部の拡大図
【図７】同実施の形態の組み立ての第２段階の過程を示す斜視図
【図８】同実施の形態の組み立ての第２段階の完了時の背面図と要部の拡大図
【図９】同実施の形態の組み立ての第３段階の過程を示す左側面図と作業中の斜視図
【図１０】同実施の形態の第３段階の終了時の背面図と要部の拡大図
【図１１】同実施の形態の組み立て完了時の背面図と要部の拡大図
【図１２】従来のカートリッジホルダー回転保持の分解斜視図
【符号の説明】
１    上蓋
２    カートリッジホルダー
２ａ，２ｂ    カートリッジ支持辺
２ｃ    カートリッジ保持部
４    カートリッジ
６    シャーシ
７ａ，７ｂ    回動保持片
８ａ，８ｂ    軸片（回動保持部）
９ａ，９ｂ    軸孔
３０ａ    抜け止め突起
３０ｂ    抜け止め突起
３１    凸部
３２    切り欠き部
３３    規制突片（第１の回動規制部）
３４    側板
３５    規制孔（第２の回動規制部）
Ｈ１    円弧部の内径
Ｈ２    通過寸法
Ｈ３    突起幅
Ｈ４    軸幅
Ｈ５    突起幅
Ｈ６    挿通寸法
【図１】
0003606726.tif 000002
【図２】
0003606726.tif 000003
【図３】
0003606726.tif 000004
【図４】
0003606726.tif 000005
【図５】
0003606726.tif 000006
【図６】
0003606726.tif 000007
【図７】
0003606726.tif 000008
【図８】
0003606726.tif 000009
【図９】
0003606726.tif 000010
【図１０】
0003606726.tif 000011
【図１１】
0003606726.tif 000012
【図１２】
0003606726.tif 000013